(57)【要約】【課題】オペレータの作業負担の軽減を図ることができる紙幣処理装を提供する。【解決手段】装置外から紙幣が投入されると共に投入された紙幣を繰り出す入金部５１と、紙幣を識別する識別部８１と、入金部５１から繰り出された紙幣のうち識別部８１で入金可能と識別された紙幣を繰り出し可能に収納する複数の還流庫５５〜５８と、還流庫５５〜５８から繰り出された紙幣のうち識別部８１で出金可能と識別された紙幣を装置外に取り出し可能に出金する出金部５２と、還流庫５５〜５８から繰り出された紙幣のうち識別部８１で出金不可と識別された紙幣を繰り出し可能に収納する出金リジェクト庫５３と、出金リジェクト庫５３から繰り出された紙幣を識別部８１の識別結果に基づいて還流庫５５〜５８に収納するように制御する制御部とを有する。【選択図】図４
2018156398.tif 000002
【特許請求の範囲】
【請求項１】
装置外から紙幣が投入されると共に投入された紙幣を繰り出す入金部と、
紙幣を識別する識別部と、
前記入金部から繰り出された紙幣のうち前記識別部で入金可能と識別された紙幣を繰り出し可能に収納する複数の還流庫と、
前記還流庫から繰り出された紙幣のうち前記識別部で出金可能と識別された紙幣を装置外に取り出し可能に出金する出金部と、
前記還流庫から繰り出された紙幣のうち前記識別部で出金不可と識別された紙幣を繰り出し可能に収納する出金リジェクト庫と、
前記出金リジェクト庫から繰り出された紙幣を前記識別部の識別結果に基づいて前記還流庫に収納するように制御する制御部とを有することを特徴とする紙幣処理装置。
【請求項２】
前記制御部は、精査処理時に、前記出金リジェクト庫から紙幣を繰り出し前記識別部の識別結果に基づいて前記還流庫に収納して前記出金リジェクト庫を空にした後、前記還流庫の紙幣を前記出金リジェクト庫に移動させて当該還流庫を空にし、その後、前記出金リジェクト庫の紙幣を前記識別部で識別しつつ前記還流庫に戻すように制御することを特徴とする請求項１記載の紙幣処理装置。
【請求項３】
前記出金リジェクト庫は、着脱可能であり、
前記制御部は、回収処理時に、前記出金リジェクト庫から紙幣を繰り出し前記識別部の識別結果に基づいて前記還流庫に収納して前記出金リジェクト庫を空にした後、前記還流庫の紙幣を前記出金リジェクト庫に移動させて回収するように制御することを特徴とする請求項１または２記載の紙幣処理装置。
【請求項４】
前記出金リジェクト庫は、着脱可能であり、
前記制御部は、補充処理時に、前記出金リジェクト庫から紙幣を繰り出し前記識別部の識別結果に基づいて前記還流庫に収納して前記出金リジェクト庫を空にすると、該出金リジェクト庫が交換可能となるように制御することを特徴とする請求項１から３のいずれか一項記載の紙幣処理装置。
【発明の詳細な説明】
【技術分野】
【０００１】
本発明は、紙幣処理装置に関する。
【背景技術】
【０００２】
紙幣処理装置においては、還流庫から紙幣を出金する際に、重送等の出金不可な紙幣は、出金リジェクト庫に収納されることになる。このため、還流庫の精査処理の前に、この出金リジェクト庫に収納された紙幣を元の還流庫に戻すために、出金リジェクト庫に収納されている出金リジェクト紙幣を、オペレータが手作業で取り出すことが行われている（例えば、特許文献１参照）。このように出金リジェクト庫から取り出された紙幣は、例えば、オペレータにより入金口に投入され、紙幣処理装置において入金処理と同様に識別が行われて還流庫へ収納されることになる。
【先行技術文献】
【特許文献】
【０００３】
【特許文献１】特許第４９３２２９８号公報
【発明の概要】
【発明が解決しようとする課題】
【０００４】
上記の精査処理時等、出金リジェクト紙幣の出金リジェクト庫からの取り出し等を人手によって行う必要があると、オペレータの作業負担が増大してしまう。
【０００５】
本発明は、オペレータの作業負担の軽減を図ることができる紙幣処理装置の提供を目的とする。
【課題を解決するための手段】
【０００６】
上記目的を達成するために、本発明に係る第１の態様は、装置外から紙幣が投入されると共に投入された紙幣を繰り出す入金部と、紙幣を識別する識別部と、前記入金部から繰り出された紙幣のうち前記識別部で入金可能と識別された紙幣を繰り出し可能に収納する複数の還流庫と、前記還流庫から繰り出された紙幣のうち前記識別部で出金可能と識別された紙幣を装置外に取り出し可能に出金する出金部と、前記還流庫から繰り出された紙幣のうち前記識別部で出金不可と識別された紙幣を繰り出し可能に収納する出金リジェクト庫と、前記出金リジェクト庫から繰り出された紙幣を前記識別部の識別結果に基づいて前記還流庫に収納するように制御する制御部とを有することを特徴とする。
【０００７】
上記第１の態様によれば、出金処理時に還流庫から繰り出された紙幣のうち出金不可な紙幣を収納する出金リジェクト庫が、紙幣を繰り出し可能であり、制御部は、この出金リジェクト庫から繰り出された紙幣を識別部の識別結果に基づいて還流庫に収納するため、出金リジェクト庫の紙幣を取り出すためのオペレータの作業負担の軽減を図ることができる。また、出金リジェクト庫の紙幣を人手に触れさせる可能性を低く抑えることができるため、セキュリティ性も向上できる。
【０００８】
本発明に係る第２の態様は、上記第１の態様において、前記制御部は、精査処理時に、前記出金リジェクト庫から紙幣を繰り出し前記識別部の識別結果に基づいて前記還流庫に収納して前記出金リジェクト庫を空にした後、前記還流庫の紙幣を前記出金リジェクト庫に移動させて当該還流庫を空にし、その後、前記出金リジェクト庫の紙幣を前記識別部で識別しつつ前記還流庫に戻すように制御することを特徴とする。
【０００９】
上記第２の態様によれば、制御部は、精査処理時に、出金リジェクト庫から紙幣を繰り出し識別部の識別結果に基づいて還流庫に収納して出金リジェクト庫を空にした後、還流庫の紙幣を出金リジェクト庫に移動させて当該還流庫を空にし、その後、出金リジェクト庫の紙幣を識別部で識別しつつ還流庫に戻すように制御するため、精査処理時のオペレータの作業負担の軽減を図ることができる。また、精査処理時に、その前処理で出金リジェクト庫を空にするため、精査処理時に異金種紙幣の排除動作を行う可能性を低減できる。また、出金リジェクト庫を使用して精査処理を行うことができるため、コストの低減および装置の小型化を図ることができる。
【００１０】
本発明に係る第３の態様は、上記第１または第２の態様において、前記出金リジェクト庫は、着脱可能であり、前記制御部は、回収処理時に、前記出金リジェクト庫から紙幣を繰り出し前記識別部の識別結果に基づいて前記還流庫に収納して前記出金リジェクト庫を空にした後、前記還流庫の紙幣を前記出金リジェクト庫に移動させて回収するように制御することを特徴とする。
【００１１】
上記第３の態様によれば、制御部は、回収処理時に、出金リジェクト庫から紙幣を繰り出し識別部の識別結果に基づいて還流庫に収納して出金リジェクト庫を空にした後、還流庫の紙幣を出金リジェクト庫に移動させて回収するように制御するため、回収処理時のオペレータの作業負担の軽減を図ることができる。また、回収処理時に、その前処理で出金リジェクト庫を空にするため、在り高を確定した状態で紙幣のカセット回収を行うことができる。また、出金リジェクト庫を使用して回収処理を行うことができるため、コストの低減および装置の小型化を図ることができる。
【００１２】
本発明に係る第４の態様は、上記第１から第３のいずれか一態様において、前記出金リジェクト庫は、着脱可能であり、前記制御部は、補充処理時に、前記出金リジェクト庫から紙幣を繰り出し前記識別部の識別結果に基づいて前記還流庫に収納して前記出金リジェクト庫を空にすると、該出金リジェクト庫が交換可能となるように制御することを特徴とする。
【００１３】
上記第４の態様によれば、制御部は、補充処理時に、出金リジェクト庫から紙幣を繰り出し識別部の識別結果に基づいて還流庫に収納して出金リジェクト庫を空にすると、この出金リジェクト庫の交換が可能になるように制御するため、この状態で、別途紙幣が補充された状態の出金リジェクト庫に交換して、この出金リジェクト庫から紙幣を繰り出し識別部の識別結果に基づいて還流庫に収納すれば、補充処理時のオペレータの作業負担の軽減を図ることができる。また、補充処理時に、その前処理で出金リジェクト庫を空にするため、紙幣が残ったまま出金リジェクト庫が交換されてしまうことを防止できる。また、出金リジェクト庫を使用して補充処理を行うことができるため、コストの低減および装置の小型化を図ることができる。
【発明の効果】
【００１４】
本発明によれば、オペレータの作業負担の軽減を図ることができる紙幣処理装置を提供することができる。
【図面の簡単な説明】
【００１５】
【図１】本発明に係る一実施形態の紙幣処理装置を含む出納機を示す斜視図である。
【図２】本発明に係る一実施形態の紙幣処理装置を示す斜視図である。
【図３】本発明に係る一実施形態の紙幣処理装置を概略的に示す側断面図である。
【図４】本発明に係る一実施形態の紙幣処理装置を概略的に示す正断面図である。
【発明を実施するための形態】
【００１６】
本発明に係る一実施形態の紙幣処理装置を図面を参照して以下に説明する。図１に示すように、本実施形態の紙幣処理装置１１は、紙幣および硬貨等を取り扱う出納機１の一部を構成するものであり、出納機１において新券のバラ紙幣および新券の小束紙幣（完封券）を入出金する新券ユニットを構成している。小束紙幣は、１００枚のバラ紙幣を集積状態で結束テープで結束して構成されている。以下、バラ紙幣を紙幣と称し、小束紙幣を小束と称す。
【００１７】
出納機１は、銀行等の金融機関の店舗に設置されて店舗全体の貨幣処理を管理するものである。出納機１は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００１８】
出納機１は、紙幣についての入出金処理等を行う主紙幣処理装置１０と、紙幣の特に新券紙幣についての入出金処理等を行う本実施形態の紙幣処理装置１１と、硬貨についての入出金処理等を行う硬貨処理装置１２とが左右に並設されて構成されている。硬貨処理装置１２の上部には、オペレータによって操作入力がなされる操作部１４と、オペレータに対して表示を行う表示部１５とを備えて出納機１を制御するターミナル部１６が設けられている。
【００１９】
主紙幣処理装置１０は、その前面側の上部に、機外から紙幣が投入されるとともに機内から出金用の紙幣が繰り出される入出金部２１が設けられている。入出金部２１の下側には、入金不可と判定された入金リジェクト紙幣が機内から繰り出される入金リジェクト部２２が設けられている。主紙幣処理装置１０の上部には、入出金部２１よりも装置後方にオフセットして、主紙幣処理装置１０の内部で結束された小束を入出金する小束出金部２３が設けられている。
【００２０】
図２に示すように、本実施形態の紙幣処理装置１１は、その筐体３１の前面３２側の上部に、筐体３１の上面３３に開口すると共に装置外からバラの新券紙幣が投入される紙幣入金口４１と、筐体３１の前面３２側に開口すると共に、装置内から繰り出されたバラの新券紙幣を装置外に取り出し可能とする紙幣出金口４２と、が設けられている。紙幣出金口４２は、紙幣入金口４１よりも下側に設けられている。
【００２１】
紙幣処理装置１１は、その筐体３１の前面３２側が紙幣入金口４１および紙幣出金口４２を含む図３に示すに紙幣入出金機構部３５となっており、紙幣入出金機構部３５よりも前面３２とは反対側、すなわち装置後側が、小束を入出金する小束入出金機構部３６となっている。
【００２２】
図２に示すように、筐体３１の前面３２は、鉛直軸回りに揺動して開閉する前面扉４５で構成されており、前面扉４５には、これを閉状態でロックするキーシリンダ４６が回動中心とは反対側に設けられている。キーシリンダ４６は別体のキーが差し込まれて回動操作されることで前面扉４５のロックを解除したり、前面扉４５をロックしたりする。前面扉４５のロックは、このようなキーおよびキーシリンダ４６等の物理的な鍵ではなく、ターミナル部１６における暗証番号入力やカード走査等による認証に基づく制御部６６の駆動でロックが解除される電磁ロックであってもよい。
【００２３】
図３に示すように、紙幣入出金機構部３５は、筐体３１内の前面３２側に、上下方向に沿って上から順に、紙幣入金口４１を含んで構成され、紙幣入金口４１を介して紙幣が投入される入金部５１と、紙幣出金口４２を含んで構成され、装置内から送られた紙幣を紙幣出金口４２に繰り出す出金部５２と、出金リジェクト紙幣を収納する着脱可能なカセット式の出金リジェクト庫５３と、紙幣を収納するとともに収納した紙幣を出金部５２に出金させる複数具体的には四つの着脱不可な還流庫５５、還流庫５６、還流庫５７および還流庫５８とを有している。還流庫５５〜５８は金種別に紙幣を収納するものであり、例えば、還流庫５５，５６は千円券の紙幣、還流庫５７は万円券の紙幣、還流庫５８は五千円券の紙幣を、それぞれ収納する。還流庫５５〜５８は、それぞれ例えば４００枚の紙幣を収納可能となっている。
【００２４】
出金リジェクト庫５３は、前面扉４５が開放されると、紙幣処理装置１１の出金リジェクト庫５３を除く本体部６０から装置前方に引き抜かれて取り外されることになり、前面扉４５が開放された状態で、本体部６０に押し込まれて取り付けられることになる。本体部６０には、装填された出金リジェクト庫５３を取り外し不可にロックするロック機構６１が設けられている。前面扉４５は、出金リジェクト庫５３および還流庫５５〜５８の全体に対して共通で一つ設けられており、この一つの前面扉４５を開けば、出金リジェクト庫５３および還流庫５５〜５８に装置外からアクセス可能となる。
【００２５】
図４に示すように、上記した入金部５１、出金部５２、出金リジェクト庫５３、還流庫５５〜５８は、いずれも装置幅方向（左右方向）に長い横長の形状をなしており、互いに装置左右方向および装置前後方向の位置を合わせて上下に並んでいる。これらは、いずれも、紙幣をその短辺を装置前後方向に沿わせその長辺を装置幅方向に沿わせた状態で上下に集積させて収納するようになっている。つまり、これらの入金部５１、出金部５２、出金リジェクト庫５３および還流庫５５〜５８は、受け入れた紙幣の厚さ方向が同方向となるようにして該方向（上下方向と一致）に並設されている。
【００２６】
上記した入金部５１、出金部５２、出金リジェクト庫５３および還流庫５５〜５８は、筐体３１内の幅方向における一側（左側）に寄せて設けられており、これにより筐体３１の幅方向逆側（右側）に形成されるスペースに、これら入金部５１、出金部５２、出金リジェクト庫５３、還流庫５５〜５８を結んで紙幣を搬送する搬送部７０が配設されている。つまり、入金部５１、出金部５２、出金リジェクト庫５３、還流庫５５〜５８の並設方向である上下方向に対し直交する方向である装置左右方向の一側のみに搬送部７０が配設されている。搬送部７０は、制御部６６によって制御されて正逆回転するものであり、紙幣を常に長辺を搬送方向に沿わせ短辺を装置前後方向に沿わせた状態で搬送する。
【００２７】
入金部５１、出金部５２、出金リジェクト庫５３、還流庫５５〜５８および搬送部７０は、図３に示すように、これらの前面３２とは反対側、すなわち装置後側に配置された駆動機構６５によって駆動されることになる。この駆動機構６５は、ターミナル部１６からの操作指示を受けて、駆動機構６５と同じく装置後側に配置された制御部６６によって作動が制御されるようになっている。
【００２８】
搬送部７０に対する紙幣の繰り出しおよび取り込みのうち、入金部５１は繰り出しのみが可能であり、出金部５２は取り込みのみが可能となっている。図４に示すように、入金部５１には、内部から外部に向けてのみ紙幣を搬送可能な出口搬送部５１ａが設けられている。出金部５２には、外部から内部に向けてのみ紙幣を搬送可能な入口搬送部５２ａが設けられている。
【００２９】
出金リジェクト庫５３および還流庫５５〜５８は、いずれも、搬送部７０に対して、紙幣の繰り出しおよび取り込みの両方が可能となっている。出金リジェクト庫５３には双方向搬送可能な入出口搬送部５３ａが、還流庫５５には双方向搬送可能な入出口搬送部５５ａが、還流庫５６には双方向搬送可能な入出口搬送部５６ａが、還流庫５７には双方向搬送可能な入出口搬送部５７ａが、還流庫５８には双方向搬送可能な入出口搬送部５８ａが、それぞれ設けられている。
【００３０】
搬送部７０は、入金部５１、出金部５２、出金リジェクト庫５３および還流庫５５〜５８のうち、最も上側の入金部５１の出口搬送部５１ａと最も下側の還流庫５８の入出口搬送部５８ａとを結ぶ主搬送路７１と、主搬送路７１の出金部５２の近傍から分岐して出金部５２の入口搬送部５２ａに接続される分岐搬送路７２と、主搬送路７１の出金リジェクト庫５３の近傍から分岐して出金リジェクト庫５３の入出口搬送部５３ａに接続される分岐搬送路７３と、主搬送路７１の還流庫５５の近傍から分岐して還流庫５５の入出口搬送部５５ａに接続される分岐搬送路７５と、主搬送路７１の還流庫５６の近傍から分岐して還流庫５６の入出口搬送部５６ａに接続される分岐搬送路７６と、主搬送路７１の還流庫５７の近傍から分岐して還流庫５７の入出口搬送部５７ａに接続される分岐搬送路７７と、を有している。出金リジェクト庫５３および還流庫５５〜５８は、図示は略すが、内部に紙幣を収納する紙幣収納部と、入出口搬送部５３ａ，５５ａ〜５８ａから繰り出された紙幣を紙幣収納部に装填する紙幣装填機構とを備えている。
【００３１】
紙幣入出金機構部３５は、主搬送路７１の出金リジェクト庫５３への分岐搬送路７３の分岐位置と、還流庫５５への分岐搬送路７５の分岐位置との間に、紙幣の真偽、金種および搬送状態を識別して計数する識別部８１を有している。
【００３２】
図３に示すように、装置前後方向の紙幣入出金機構部３５の後側に設けられた小束入出金機構部３６は、金種別の複数の小束収納部９１〜９４を有している。小束収納部９１〜９４は装置左右方向および上下方向の位置を合わせて装置前後方向に並んで配置されている。小束収納部９１〜９４は、いずれも、小束を、構成する紙幣の長辺を装置左右方向にし短辺を装置前後方向にして上下方向に重ねて複数束（例えば４０束）収納可能となっている。小束収納部９１〜９４は、金種別に小束を収納し、例えば、小束収納部９１，９２は新券の万円券の小束を、小束収納部９３は新券の千円券の小束を、小束収納部９４は新券の五千円券の小束を、それぞれ収納する。
【００３３】
小束入出金機構部３６は、小束収納部９１〜９４の上方に、これら小束収納部９１〜９４に対し選択的に小束を取り出しおよび収納可能であって把持した小束を装置前後方向に搬送する小束搬送部９６を有している。また、小束入出金機構部３６は、小束収納部９１〜９４よりも装置前方の上部に、小束を入出金する小束入出金部９７を有している。小束入出金部９７は、紙幣入出金機構部３５の入金部５１よりも上側に、入金部５１よりも装置後方にオフセットして設けられている。小束搬送部９６は、小束収納部９１〜９４と小束入出金部９７との間で小束を、紙幣の長辺が装置左右方向となり短辺が装置前後方向となる姿勢で一束ずつ搬送する。小束入出金部９７には、小束が、紙幣の長辺を装置左右方向にし短辺を装置前後方向にして上下方向に複数束（例えば１０束）集積可能となっている。よって、小束入出金部９７は一度に複数束の小束を纏めて出金可能となっている。
【００３４】
最も装置前後方向前側の小束収納部９１と小束入出金部９７との間には、小束搬送部９６で搬送中の小束を識別する小束識別部９８が設けられており、小束入出金部９７の下側には、小束搬送部９６との間で小束を受け渡す着脱可能な小束カセット１００が設けられている。小束搬送部９６、小束入出金部９７および小束カセット１００も、小束収納部９１〜９４と装置左右方向の位置を合わせている。
【００３５】
小束カセット１００には、小束収納部９１〜９４の小束を精査する際に、小束収納部９１〜９４のうちの精査対象小束収納部から小束搬送部９６で小束が全て移動させられることになり、その後、小束カセット１００から小束搬送部９６で小束を精査対象小束収納部に戻し、その際の小束識別部９８の識別および計数結果で、精査対象小束収納部の在り高が確定する。
【００３６】
また、小束カセット１００には、小束収納部９１〜９４の小束を回収する際に、小束収納部９１〜９４のうちの回収対象小束収納部から小束搬送部９６で小束が移動させられることになり、その後、小束カセット１００が取り外されて小束が回収される。ここで、紙幣入出金機構部３５は、前面扉４５が開かれた状態で、例えば鉛直軸回りに揺動可能となっており、このように紙幣入出金機構部３５を揺動させた状態で、小束カセット１００が装置前方に引き出されて取り外される。
【００３７】
また、小束カセット１００には、小束収納部９１〜９４に小束を補充する際に、装置外で小束が装填されることになり、この状態で、小束カセット１００が装置内に取り付けられる。そして、このように装着された小束カセット１００の小束が小束搬送部９６で小束収納部９１〜９４に補充される。
【００３８】
筐体３１内の小束入出金機構部３６の下側のスペース１０１には、電源、制御基板および小束収納部９１〜９４内の小束を昇降させる昇降駆動部品等が配置されている。
【００３９】
以上に述べた構成の本実施形態の紙幣処理装置１１の新券紙幣の入出金に関する作動を各処理別に説明する。
【００４０】
「入金処理」
入金処理時に、入金部５１に紙幣入金口４１を介して装置外から紙幣が投入されて、操作部１４に入金処理のスタート操作が入力されると、制御部６６は、入金部５１の出口搬送部５１ａを駆動し、搬送部７０を正転駆動すると共に、還流庫５５〜５８の入出口搬送部５５ａ〜５８ａを正転駆動する。すると、出口搬送部５１ａが入金部５１の紙幣を一枚分離して主搬送路７１に送り出し、正転駆動中の主搬送路７１が識別部８１に向けて搬送する。すなわち、入金部５１は、入金処理時に装置外から紙幣が投入されると共に投入された紙幣を繰り出し可能となっている。
【００４１】
上記の搬送中に、この紙幣を、識別部８１が識別および計数し、入金可能と識別すると、この紙幣が、還流庫５５に収納すべき金種の紙幣であれば、正転駆動中の主搬送路７１、分岐搬送路７５および入出口搬送部５５ａが還流庫５５に、還流庫５６に収納すべき金種の紙幣であれば、正転駆動中の主搬送路７１、分岐搬送路７６および入出口搬送部５６ａが還流庫５６に、還流庫５７に収納すべき金種の紙幣であれば、正転駆動中の主搬送路７１、分岐搬送路７７および入出口搬送部５７ａが還流庫５７に、還流庫５８に収納すべき金種の紙幣であれば、正転駆動中の主搬送路７１および入出口搬送部５８ａが還流庫５８に、それぞれ収納する。すなわち、複数の還流庫５５〜５８は、入金処理時に入金部５１から繰り出された紙幣のうち入金可能な紙幣を繰り出し可能に収納する。
【００４２】
一方、紙幣が、識別部８１で入金不可と識別されると、制御部６６は、出金部５２の入口搬送部５２ａを駆動すると共に搬送部７０を逆転駆動する。すると、逆転駆動中の主搬送部７１、分岐搬送路７２および入口搬送部５２ａが、この紙幣を出金部５２に収納する。
【００４３】
以上のような処理を入金部５１に投入された紙幣について一枚ずつ順に行い、入金部５１の紙幣がなくなると、制御部６６は、出金部５２に収納している紙幣がなければ、入金処理を終了する一方、出金部５２に収納している紙幣があれば、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると入金処理を終了する。
【００４４】
「出金処理」
出金処理時に、出金させる紙幣の金種および枚数が操作部１４に指定入力されて、出金処理のスタート操作が入力されると、制御部６６は、出金部５２の入口搬送部５２ａを駆動し、搬送部７０および出金リジェクト庫５３の入出口搬送部５３ａを逆転駆動する。それと共に、この指定入力に応じて、還流庫５５の紙幣を出金させる場合には、還流庫５５の入出口搬送部５５ａを逆転駆動して還流庫５５から紙幣を一枚分離して繰り出させる。すると、この紙幣を、逆転駆動中の分岐搬送路７５および主搬送路７１が識別部８１に向けて搬送する。また、還流庫５６の紙幣を出金させる場合には、還流庫５６の入出口搬送部５６ａを逆転駆動して還流庫５６から紙幣を一枚分離して繰り出させる。すると、この紙幣を、逆転駆動中の分岐搬送路７６および主搬送路７１が識別部８１に向けて搬送する。また、還流庫５７の紙幣を出金させる場合には、還流庫５７の入出口搬送部５７ａを逆転駆動して還流庫５７から紙幣を一枚分離して繰り出させる。すると、この紙幣を、逆転駆動中の分岐搬送路７７および主搬送路７１が識別部８１に向けて搬送する。また、還流庫５８の紙幣を出金させる場合には、還流庫５８の入出口搬送部５８ａを逆転駆動して還流庫５８から紙幣を一枚分離して繰り出させる。すると、この紙幣を、逆転駆動中の主搬送路７１が識別部８１に向けて搬送する。
【００４５】
そして、いずれの場合も、主搬送路７１での搬送中に紙幣を識別部８１が識別および計数し、その結果、この紙幣を、重送等がなく出金可能と識別すると、逆転駆動中の主搬送路７１および分岐搬送路７２と、駆動中の入口搬送部５２ａとが出金部５２に収納する。よって、出金部５２は、出金処理時に還流庫５５〜５８から繰り出された紙幣のうち出金可能な紙幣を装置外に取り出し可能に出金する。
【００４６】
一方、識別部８１が、紙幣を、重送等があり出金不可と識別すると、この紙幣を、逆転駆動中の主搬送路７１、分岐搬送路７３および入出口搬送部５３ａが出金リジェクト庫５３に収納する。よって、出金リジェクト庫５３は出金処理時に還流庫５５〜５８から繰り出された紙幣のうち出金不可な紙幣を収納する。
【００４７】
以上のような処理を上記指定入力された金種および枚数の紙幣について一枚ずつ順に行い、上記指定入力された金種および枚数の紙幣がすべて出金部５２に収納されると、制御部６６は、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると出金処理を終了する。
【００４８】
以上により、出金部５２は、入金リジェクト紙幣の返却および出金紙幣の出金を行うことになる。
【００４９】
なお、出金処理中に、出金リジェクト庫５３がフル（ニアフル）になった場合、処理待ち等のアイドリング時間、または、ユーザにより操作されたタイミング、あるいは予め設定された時刻等の任意のタイミングで、制御部６６は、出金リジェクト庫５３に出金リジェクト紙幣が存在する場合は、出金リジェクト庫５３の入出口搬送部５３ａから出金リジェクト紙幣を排出して、識別部８１で識別して識別金種に対応する還流庫５５〜５８に収納させるようになっている。
【００５０】
入金処理後に、入金処理にて入金された紙幣を返却するために行われる返却処理は、この出金処理と同様の処理で、入金処理にて入金された金種および枚数の紙幣を紙幣出金口４２に払い出す。
【００５１】
「精査処理」
操作部１４に、還流庫５５〜５８のうち精査処理を行う精査対象還流庫の指定を含む精査処理の実行が入力される。精査対象還流庫の指定は、還流庫５５〜５８のうちの１つを指定したり、還流庫５５〜５８のうちの全部を含む複数を指定したりすることが可能となっている。
【００５２】
精査処理の実行が入力されると、制御部６６は、まず、それまでの処理結果等に基づいて、出金リジェクト庫５３の紙幣の有無を判定する。そして、出金リジェクト庫５３に紙幣があると判定すると、精査処理の前処理として、以下の出金リジェクト庫空化処理を行う。
【００５３】
すなわち、制御部６６は、出金リジェクト庫５３の入出口搬送部５３ａ、搬送部７０および還流庫５５〜５８の入出口搬送部５５ａ〜５８ａを正転駆動する。すると、入出口搬送部５３ａが出金リジェクト庫５３の紙幣を、一枚分離して分岐搬送路７３に送り出し、正転駆動中の分岐搬送路７３および主搬送路７１が識別部８１に向けて搬送する。この搬送中に、識別部８１がこの紙幣を識別および計数し、還流使用可能と識別すると、この紙幣が、還流庫５５に収納すべき金種の紙幣であれば、この紙幣を、正転駆動中の主搬送路７１、分岐搬送路７５および入出口搬送部５５ａが還流庫５５に、還流庫５６に収納すべき金種の紙幣であれば、この紙幣を、正転駆動中の主搬送路７１、分岐搬送路７６および入出口搬送部５６ａが還流庫５６に、還流庫５７に収納すべき金種の紙幣であれば、この紙幣を、正転駆動中の主搬送路７１、分岐搬送路７７および入出口搬送部５７ａが還流庫５７に、還流庫５８に収納すべき金種の紙幣であれば、この紙幣を、正転駆動中の主搬送路７１および入出口搬送部５８ａが還流庫５８に、それぞれ収納する。このように、出金リジェクト庫空化処理では、出金リジェクト庫５３から繰り出された紙幣を識別部８１の識別結果に基づいて還流庫５５〜５８に収納する。
【００５４】
一方、制御部６６は、この紙幣が、識別部８１で還流使用不可と識別されると、搬送部７０を逆転駆動すると共に、出金部５２の入口搬送部５２ａを駆動する。すると、主搬送部７１、分岐搬送路７２および入口搬送部５２ａが、この紙幣を出金部５２に収納する。
【００５５】
以上のような処理を出金リジェクト庫５３に収納されている紙幣について一枚ずつ順に行い、出金リジェクト庫５３の紙幣がなくなると、制御部６６は、精査処理の前処理としての出金リジェクト庫空化処理を終了する。
【００５６】
出金リジェクト庫空化処理が終了すると、次に、制御部６６は、還流庫５５〜５８のうちの一の精査処理対象還流庫について、以下の精査処理の往路処理を行う。
【００５７】
すなわち、制御部６６は、入出口搬送部５３ａおよび搬送部７０を逆転駆動すると共に、一の精査処理対象還流庫が還流庫５５の場合には、入出口搬送部５５ａを逆転駆動して還流庫５５から紙幣を一枚分離して繰り出させる。すると、この紙幣を、逆転駆動中の分岐搬送路７５および主搬送路７１が識別部８１に向けて搬送する。また、一の精査処理対象還流庫が還流庫５６の場合には、入出口搬送部５６ａを逆転駆動して還流庫５６から紙幣を一枚分離して繰り出させる。すると、この紙幣を、逆転駆動中の分岐搬送路７６および主搬送路７１が識別部８１に向けて搬送する。また、一の精査処理対象還流庫が還流庫５７の場合には、入出口搬送部５７ａを逆転駆動して還流庫５７から紙幣を一枚分離して繰り出させる。すると、この紙幣を、逆転駆動中の分岐搬送路７７および主搬送路７１が識別部８１に向けて搬送する。また、一の精査処理対象還流庫が還流庫５８の場合には、入出口搬送部５８ａを逆転駆動して還流庫５８から紙幣を一枚分離して繰り出させる。すると、この紙幣を、逆転駆動中の主搬送路７１が識別部８１に向けて搬送する。
【００５８】
そして、還流庫５５〜５８のいずれが一の精査処理対象還流庫である場合も、主搬送路７１での搬送中に紙幣を識別部８１が識別および計数し、その結果、この紙幣を、重送等がなく精査可能と識別すると、逆転駆動中の主搬送路７１、分岐搬送路７３および入出口搬送部５３ａが出金リジェクト庫５３に収納する。一方、この紙幣を、識別部８１が重送等があり精査不可と識別すると、逆転駆動中の主搬送路７１および分岐搬送路７２と、駆動中の入口搬送部５２ａとが出金部５２に収納する。
【００５９】
以上のような処理を還流庫５５〜５８のうちの一の精査処理対象還流庫に収納されている紙幣に対して順次行い、この一の精査処理対象還流庫の紙幣がなくなると、制御部６６は、この一の精査処理対象還流庫について、以下の精査処理の復路処理を行う。
【００６０】
すなわち、制御部６６は、入出口搬送部５３ａ、搬送部７０および入出口搬送部５５ａ〜５８ａを正転駆動する。すると、正転駆動中の入出口搬送部５３ａが出金リジェクト庫５３の紙幣を一枚分離して、正転駆動中の分岐搬送路７３に送り出し、正転駆動中の主搬送路７１が識別部８１に向けて搬送する。この搬送中に、識別部８１がこの紙幣を識別および計数し、重送等がなく還流使用可能と識別すると、一の精査処理対象還流庫が還流庫５５であって、この還流使用可能な紙幣が、還流庫５５に収納すべき金種の紙幣であれば、この紙幣を、正転駆動中の主搬送路７１、分岐搬送路７５および入出口搬送部５５ａが還流庫５５に収納する。また、一の精査処理対象還流庫が還流庫５６であって、この還流使用可能な紙幣が、還流庫５６に収納すべき金種の紙幣であれば、この紙幣を、正転駆動中の主搬送路７１、分岐搬送路７６および入出口搬送部５６ａが還流庫５６に収納する。また、一の精査処理対象還流庫が還流庫５７であって、この還流使用可能な紙幣が、還流庫５７に収納すべき金種の紙幣であれば、この紙幣を、正転駆動中の主搬送路７１、分岐搬送路７７および入出口搬送部５７ａが還流庫５７に収納する。また、一の精査処理対象還流庫が還流庫５８であって、この還流使用可能な紙幣が、還流庫５８に収納すべき金種の紙幣であれば、この紙幣を、正転駆動中の主搬送路７１および入出口搬送部５８ａが還流庫５８に収納する。
【００６１】
一方、制御部６６は、この紙幣が、識別部８１で重送等があり還流使用不可と識別されると、搬送部７０を逆転駆動すると共に、入口搬送部５２ａを駆動する。すると、主搬送部７１、分岐搬送路７２および入口搬送部５２ａが、この還流使用不可な紙幣を出金部５２に収納する。
【００６２】
以上のような処理を出金リジェクト庫５３に収納されている紙幣について一枚ずつ順に行い、出金リジェクト庫５３の紙幣がなくなると、制御部６６は、出金部５２に収納している紙幣がなければ、一の精査処理対象還流庫についての精査処理の復路処理を終了する一方、出金部５２に収納している紙幣があれば、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると、一の精査処理対象還流庫についての精査処理の復路処理を終了する。
【００６３】
以上の一の精査処理対象還流庫に対する精査処理の往路処理および復路処理で、出金リジェクト庫５３から繰り出され、識別部８１で還流使用可能な紙幣と識別されて計数された紙幣が一の精査処理対象還流庫に収納されることになり、この精査処理対象還流庫の在り高が確定する。
【００６４】
還流庫５５〜５８のうちの複数が精査処理対象還流庫として指定された場合、上記の精査処理の往路処理および復路処理を、複数の精査処理対象還流庫のそれぞれに対して順次行うことになるが、最初の往路処理および復路処理の前にのみ、前処理としての出金リジェクト庫空化処理を行う。
【００６５】
以上により、精査処理時には、出金リジェクト庫５３から紙幣を繰り出し識別部８１の識別結果に基づいて還流庫５５〜５８の対応する金種のものに収納して出金リジェクト庫５３を空にした後、還流庫５５〜５８のうちの一の精査処理対象還流庫の紙幣を出金リジェクト庫５３に移動させて、この一の精査処理対象還流庫を空にし、その後、出金リジェクト庫５３の紙幣を識別部８１で識別しつつ、この一の精査処理対象還流庫に戻すことになる。
【００６６】
「回収処理」
操作部１４に、還流庫５５〜５８のうち回収処理を行う回収対象還流庫の指定を含む回収処理の実行が入力される。回収対象還流庫の指定は、還流庫５５〜５８のうちの１つを指定したり、還流庫５５〜５８のうちの全部を含む複数を指定したりすることが可能となっている。
【００６７】
回収処理の実行が入力されると、制御部６６は、まず、それまでの処理結果等に基づいて、出金リジェクト庫５３の紙幣の有無を判定する。そして、出金リジェクト庫５３に紙幣があると判定すると、回収処理の前処理として、精査処理と同様の出金リジェクト庫空化処理を行う。
【００６８】
すなわち、制御部６６は、出金リジェクト庫５３の入出口搬送部５３ａ、搬送部７０および還流庫５５〜５８の入出口搬送部５５ａ〜５８ａを正転駆動する。すると、出金リジェクト庫５３の入出口搬送部５３ａが紙幣を一枚分離して分岐搬送路７３に送り出し主搬送路７１が識別部８１に向けて搬送し、識別部８１がこの紙幣を識別および計数する。識別部８１がこの紙幣を還流使用可能と識別すると、制御部６６は、この紙幣が、還流庫５５に収納すべき金種の紙幣であれば、この紙幣を、主搬送路７１、分岐搬送路７５および入出口搬送部５５ａで還流庫５５に、還流庫５６に収納すべき金種の紙幣であれば、この紙幣を、主搬送路７１、分岐搬送路７６および入出口搬送部５６ａで還流庫５６に、還流庫５７に収納すべき金種の紙幣であれば、この紙幣を、主搬送路７１、分岐搬送路７７および入出口搬送部５７ａで還流庫５７に、還流庫５８に収納すべき金種の紙幣であれば、この紙幣を、主搬送路７１および入出口搬送部５８ａで還流庫５８に、それぞれ収納する。
【００６９】
一方、制御部６６は、紙幣が、識別部８１で入金不可と識別されると、出金部５２の入口搬送部５２ａを駆動すると共に、搬送部７０を逆転駆動して、主搬送部７１、分岐搬送路７２および入口搬送部５２ａで、この紙幣を出金部５２に収納させる。
【００７０】
以上のような処理を出金リジェクト庫５３に収納されている紙幣について一枚ずつ順に行い、出金リジェクト庫５３の紙幣がなくなると、制御部６６は、回収処理の前処理としての出金リジェクト庫空化処理を終了する。
【００７１】
出金リジェクト庫空化処理が終了すると、次に、制御部６６は、還流庫５５〜５８のうちの一の回収処理対象還流庫について、回収処理の本処理を行う。すなわち、制御部６６は、出金リジェクト庫５３の入出口搬送部５３ａおよび搬送部７０を逆転駆動すると共に、一の回収処理対象還流庫が還流庫５５の場合には、入出口搬送部５５ａを逆転駆動して還流庫５５から紙幣を一枚分離して繰り出させる。すると、この紙幣を、逆転駆動中の分岐搬送路７５および主搬送路７１が識別部８１に向けて搬送する。また、一の回収処理対象還流庫が還流庫５６の場合には、入出口搬送部５６ａを逆転駆動して還流庫５６から紙幣を一枚分離して繰り出させる。すると、この紙幣を、逆転駆動中の分岐搬送路７６および主搬送路７１が識別部８１に向けて搬送する。また、一の回収処理対象還流庫が還流庫５７の場合には、入出口搬送部５７ａを逆転駆動して還流庫５７から紙幣を一枚分離して繰り出させる。すると、この紙幣を、逆転駆動中の分岐搬送路７７および主搬送路７１が識別部８１に向けて搬送する。また、一の回収処理対象還流庫が還流庫５８の場合には、入出口搬送部５８ａを逆転駆動して還流庫５８から紙幣を一枚分離して繰り出させる。すると、この紙幣を、逆転駆動中の主搬送路７１が識別部８１に向けて搬送する。
【００７２】
そして、還流庫５５〜５８のいずれが一の回収処理対象還流庫である場合も、主搬送路７１での搬送中に紙幣を識別部８１が識別および計数し、その結果、この紙幣を、重送等がなく箱回収可能と識別すると、主搬送路７１、分岐搬送路７３および入出口搬送部５３ａが出金リジェクト庫５３に収納する。
【００７３】
一方、識別部８１で重送等があり箱回収不可と識別された紙幣は、主搬送路７１、分岐搬送路７２および入口搬送部５２ａが出金部５２に収納する。
【００７４】
以上のような処理を還流庫５５〜５８のうちの一の回収処理対象還流庫に収納されている紙幣に対して順次行い、この一の回収処理対象還流庫の紙幣がなくなると、制御部６６は、出金部５２に収納している紙幣がなければ、一の回収処理対象還流庫についての回収処理の本処理を終了する一方、出金部５２に収納している紙幣があれば、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると、一の回収処理対象還流庫についての回収処理の本処理を終了する。
【００７５】
以上の一の回収処理対象還流庫に対する回収処理の本処理で、一の回収処理対象還流庫から繰り出され、識別部で９１で箱回収可能な紙幣と識別されて計数された紙幣が出金リジェクト庫５３に収納されることになり、この出金リジェクト庫５３の在り高が確定する。
【００７６】
還流庫５５〜５８のうちの複数が回収処理対象還流庫として指定された場合、上記の回収処理の本処理を、複数の精査処理対象還流庫のそれぞれに対して順次行うことになるが、最初の本処理の前にのみ、前処理としての出金リジェクト庫空化処理を行う。還流庫５５〜５８のうち指定されたすべての回収処理対象還流庫に対して回収処理の本処理を行うと、制御部６６は、出金リジェクト庫５３の本体部６０に対するロックを解除すると共に、出金リジェクト庫５３の本体部６０からの取り出しおよび代わりの出金リジェクト庫５３の取り付けを促す表示を表示部１５に表示させる。これにより、すべての回収処理対象還流庫の紙幣を、在り高を確定した状態で収納した出金リジェクト庫５３が、前面扉４５が開放された状態で、本体部６０から引き抜かれて取り外されて回収されることになる。その際に、代わりに、別の例えば空の出金リジェクト庫５３が本体部６０に装填されることになる。なお、前面扉４５が電磁ロックの場合、制御部６６は、還流庫５５〜５８のうち指定されたすべての回収処理対象還流庫に対して回収処理の本処理を行うと、前面扉４５の電磁ロックによるロックを解除する。
【００７７】
以上により、回収処理時には、出金リジェクト庫５３から紙幣を繰り出し識別部８１の識別結果に基づいて還流庫５５〜５８の対応する金種のものに収納して出金リジェクト庫５３を空にした後、還流庫５５〜５８の紙幣を出金リジェクト庫５３に移動させて回収することになる。
【００７８】
「補充処理」
操作部１４に、補充処理の実行が入力されると、制御部６６は、まず、それまでの処理結果等に基づいて、出金リジェクト庫５３の紙幣の有無を判定する。そして、出金リジェクト庫５３に紙幣があると判定すると、制御部６６は、補充処理の前処理として、精査処理および回収処理と同様の出金リジェクト庫空化処理を行う。すなわち、制御部６６は、出金リジェクト庫５３の入出口搬送部５３ａ、搬送部７０および還流庫５５〜５８の入出口搬送部５５ａ〜５８ａを正転駆動する。すると、出金リジェクト庫５３の入出口搬送部５３ａが紙幣を一枚分離して分岐搬送路７３に送り出し主搬送路７１が識別部８１に向けて搬送し、識別部８１がこの紙幣を識別および計数する。識別部８１がこの紙幣を還流使用可能と識別すると、この紙幣が、還流庫５５に収納すべき金種の紙幣であれば、この紙幣を、主搬送路７１、分岐搬送路７５および入出口搬送部５５ａが還流庫５５に、還流庫５６に収納すべき金種の紙幣であれば、この紙幣を、主搬送路７１、分岐搬送路７６および入出口搬送部５６ａが還流庫５６に、還流庫５７に収納すべき金種の紙幣であれば、この紙幣を、主搬送路７１、分岐搬送路７７および入出口搬送部５７ａが還流庫５７に、還流庫５８に収納すべき金種の紙幣であれば、この紙幣を、主搬送路７１および入出口搬送部５８ａが還流庫５８に、それぞれ収納する。
【００７９】
一方、紙幣が、識別部８１で還流使用不可と識別されると、制御部６６は、出金部５２の入口搬送部５２ａを駆動すると共に、搬送部７０を逆転駆動し、主搬送部７１、分岐搬送路７２および入口搬送部５２ａで、この紙幣を出金部５２に収納させる。
【００８０】
以上のような処理を出金リジェクト庫５３に収納されている紙幣について一枚ずつ順に行い、出金リジェクト庫５３の紙幣がなくなると、制御部６６は、出金部５２に収納している紙幣がなければ、補充処理の前処理としての出金リジェクト庫空化処理を終了する一方、出金部５２に収納している紙幣があれば、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると、補充処理の前処理としての出金リジェクト庫空化処理を終了する。
【００８１】
出金リジェクト庫空化処理が終了すると、次に、制御部６６は、ロック機構６１を駆動して、出金リジェクト庫５３の本体部６０に対するロックを解除すると共に、出金リジェクト庫５３の本体部６０からの取り出しおよび補充用紙幣が装填された出金リジェクト庫５３の取り付けを促す表示を表示部１５に表示させる。すなわち、補充処理時に、出金リジェクト庫５３から紙幣を繰り出し識別部８１の識別結果に基づいて還流庫５５〜５８に収納して出金リジェクト庫５３を空にすると、出金リジェクト庫５３が交換可能となり、出金リジェクト庫５３を空にしなければ、出金リジェクト庫５３の交換が規制される。
【００８２】
前面扉４５が開放された状態で、空になった出金リジェクト庫５３が本体部６０から引き抜かれて取り外され、代わりに、装置外で予め補充用紙幣が装填された状態の出金リジェクト庫５３が本体部６０に装填されて、前面扉４５が閉じられることになる。なお、前面扉４５が電磁ロックの場合、制御部６６は、補充処理の前処理としての出金リジェクト庫空化処理が終了すると、前面扉４５の電磁ロックによるロックを解除する。
【００８３】
この状態で、制御部６６は、補充処理の本処理を行う。すなわち、制御部６６は、補充処理の本処理として、出金リジェクト庫５３の入出口搬送部５３ａ、搬送部７０および還流庫５５〜５８の入出口搬送部５５ａ〜５８ａを正転駆動する。すると、出金リジェクト庫５３の入出口搬送部５３ａが紙幣を一枚分離して分岐搬送路７３に送り出し分岐搬送路７３および主搬送路７１が識別部８１に向けて搬送し、識別部８１がこの紙幣を識別および計数する。識別部８１がこの紙幣を還流使用可能と識別すると、この紙幣が、還流庫５５に収納すべき金種の紙幣であれば、この紙幣を、主搬送路７１、分岐搬送路７５および入出口搬送部５５ａが還流庫５５に、還流庫５６に収納すべき金種の紙幣であれば、この紙幣を、主搬送路７１、分岐搬送路７６および入出口搬送部５６ａが還流庫５６に、還流庫５７に収納すべき金種の紙幣であれば、この紙幣を、主搬送路７１、分岐搬送路７７および入出口搬送部５７ａが還流庫５７に、還流庫５８に収納すべき金種の紙幣であれば、この紙幣を、主搬送路７１および入出口搬送部５８ａが還流庫５８に、それぞれ収納する。
【００８４】
一方、制御部６６は、この紙幣が、識別部８１で補充不可と識別されると、出金部５２の入口搬送部５２ａを駆動すると共に、搬送部７０を逆転駆動して、主搬送部７１、分岐搬送路７２および入口搬送部５２ａで、この紙幣を出金部５２に収納させる。
【００８５】
以上のような処理を出金リジェクト庫５３に収納されている紙幣について一枚ずつ順に行い、出金リジェクト庫５３の紙幣がなくなると、制御部６６は、出金部５２に収納している紙幣がなければ、補充処理の本処理を終了する一方、出金部５２に収納している紙幣があれば、出金部５２を駆動して外部払出作動を行わせる。すると、出金部５２は、収納している紙幣を纏めて紙幣出金口４２から装置外に取り出し可能に一部突出させる。制御部６６は、紙幣出金口４２から紙幣が引き抜かれると、補充処理の本処理を終了する。
【００８６】
以上により、出金リジェクト庫５３は、出金処理時に還流庫５５〜５８から繰り出された紙幣のうち出金不可な紙幣を収納すると共に、精査処理時に還流庫５５〜５８のうちの一の精査対象還流庫を一旦空にしてから戻すための紙幣の一時移動先となり、さらに、回収処理時に在り高が確定した紙幣を収納した状態で取り外され、さらに、補充処理時に、装置外で紙幣が補充され装置内で還流庫５５〜５８に紙幣を補充する補充元となる。すなわち、出金リジェクト庫５３は、出金リジェクト庫と精査庫と回収庫と補充庫とを共用化したものとなっている。
【００８７】
補充処理において、装置外で紙幣が補充され、補充のために本体部６０に装填された出金リジェクト庫５３は、補充処理後は空になるため、この出金リジェクト庫５３を本体部６０に装填したままとし、そのまま使用して装置運用を再開することができる。
【００８８】
以上に述べた本実施形態の紙幣処理装置１１によれば、出金処理時に還流庫５５〜５８から繰り出された紙幣のうち出金不可な紙幣を収納する出金リジェクト庫５３が、紙幣を繰り出し可能であり、制御部６６は、この出金リジェクト庫５３から繰り出された紙幣を識別部８１の識別結果に基づいて還流庫５５〜５８に収納するように制御することから、出金リジェクト庫５３を空にするためにオペレータが出金リジェクト庫５３から紙幣を取り出す作業を行わずに済むことになり、出金リジェクト庫５３を空にするためのオペレータの作業負担の軽減を図ることができる。また、出金リジェクト庫５３の紙幣を人手に触れさせる可能性を低く抑えることができるため、セキュリティ性も向上できる。すなわち、人手を介さずに出金リジェクト紙幣を自動で還流庫５５〜５８に戻すことが可能になるため、オペレータの処理負担の軽減と、セキュリティの向上を実現することができる。
【００８９】
また、制御部６６は、精査処理時に、出金リジェクト庫５３から紙幣を繰り出し識別部８１の識別結果に基づいて還流庫５５〜５８に収納して出金リジェクト庫５３を空にした後、還流庫５５〜５８のうちの一の精査対象還流庫の紙幣を出金リジェクト庫５３に移動させてこの一の精査対象還流庫を空にし、その後、出金リジェクト庫５３の紙幣を識別部８１で識別しつつこの一の精査対象還流庫に戻すように制御するため、精査処理時に出金リジェクト庫５３を空にするためにオペレータが出金リジェクト庫５３から紙幣を取り出す作業を行わずに済むことになり、精査処理時のオペレータの作業負担の軽減を図ることができる。出金リジェクト紙幣を精査前に還流庫５５〜５８に戻すルートを設けることで、これまで手で抜いていた出金リジェクト紙幣を含めての自動精査が可能となる。また、精査処理時に、その前処理で出金リジェクト庫５３を空にするため、精査処理時に異金種紙幣の排除動作を行う可能性を低減できる。また、出金リジェクト庫５３を使用して精査処理を行うことができるため、精査処理専用の精査庫を設ける必要がなくなり、コストの低減および装置の小型化を図ることができる。
【００９０】
また、制御部６６は、回収処理時に、出金リジェクト庫５３から紙幣を繰り出し識別部８１の識別結果に基づいて還流庫５５〜５８に収納して出金リジェクト庫５３を空にした後、還流庫５５〜５８のうちの回収対象還流庫の紙幣を出金リジェクト庫５３に移動させて回収するように制御するため、回収処理時に出金リジェクト庫５３を空にするためにオペレータが出金リジェクト庫５３から紙幣を取り出す作業を行わずに済むことになり、回収処理時のオペレータの作業負担の軽減を図ることができる。また、回収処理時に、その前処理で出金リジェクト庫５３を空にするため、在り高を確定した状態で紙幣のカセット回収を行うことができる。また、出金リジェクト庫５３を使用して回収処理を行うことができるため、回収処理専用の回収庫を設ける必要がなくなり、コストの低減および装置の小型化を図ることができる。
【００９１】
また、制御部６６は、補充処理時に、出金リジェクト庫５３から紙幣を繰り出し識別部８１の識別結果に基づいて還流庫５５〜５８に収納して出金リジェクト庫５３を空にすると、この出金リジェクト庫５３の交換が可能になるように制御するため、この状態で、別途紙幣が補充された状態の出金リジェクト庫５３に交換して、この出金リジェクト庫５３から紙幣を繰り出し識別部８１の識別結果に基づいて還流庫５５〜５８に収納する。これにより、補充処理時に出金リジェクト庫５３を空にするためにオペレータが出金リジェクト庫５３から紙幣を取り出す作業を行わずに済むことになり、補充処理時のオペレータの作業負担の軽減を図ることができる。また、補充処理時に、その前処理で出金リジェクト庫５３を空にするため、紙幣が残ったまま出金リジェクト庫５３が交換されてしまうことを防止できる。また、出金リジェクト庫を使用して補充処理を行うことができるため、補充処理専用の補充庫を設ける必要がなくなり、コストの低減および装置の小型化を図ることができる。
【００９２】
以上の実施形態では、紙幣処理装置１１が、新券紙幣を入出金する場合を例にとり説明したが、勿論、流通紙幣を入出金することもできる。
【００９３】
また、以上の実施形態では、紙幣処理装置１１が、主搬送路７１の入金処理時等の正転駆動時と、出金処理時等の逆転駆動時とで、共通の識別部８１により紙幣を識別する場合を例にとり説明したが、搬送方向別に別々の識別部で紙幣を識別するようにしても良い。
【００９４】
また、前面扉４５は、出金リジェクト庫５３および還流庫５５〜５８に対し共通ではなく、出金リジェクト庫５３と、還流庫５５〜５８とで別々の扉を設け、それぞれの扉にロック機構を設けることで、アクセス可能な範囲を分けてセキュリティ性を高めるようにしてもよい。
【符号の説明】
【００９５】
１１  紙幣処理装置
５１  入金部
５２  出金部
５３  出金リジェクト庫
５５〜５８  還流庫
６６  制御部
８１  識別部
【図１】
2018156398.tif 000003
【図２】
2018156398.tif 000004
【図３】
2018156398.tif 000005
【図４】
2018156398.tif 000006